(57)【要約】【課題】歯冠補綴構造の構築における支台築造に際し、歯の歯根の根管に支台築造用雄ねじポストを植立するにあたって、歯根の損傷ないし破壊を抑制し、ポストを安定して植立固定できる歯根の雌ねじ形成用タップを提供すること。【解決手段】本発明に係る歯根の雌ねじ形成用タップ１は、支台築造体ないし歯冠補綴構造を構築するに際し、歯の歯根の根管に支台築造用雄ねじポストを植立固定するにあたって、あらかじめ歯根の根管に雌ねじを形成するので、ポスト自身を歯根の根管に直接食い込ませつつ周囲の象牙質等をねじ山で圧迫ないし切削してねじ込むこともないため、歯根の脆弱化及びそれによる歯根の損傷ないし破壊を抑制し、支台築造用雄ねじポストを安定して植立固定できる雌ねじを形成可能なタップ１を提供することができる。【選択図】図１
2013066600.tif 000002
【特許請求の範囲】
【請求項１】
外周に雄ねじからなるねじ部が設けられるとともに、当該ねじ部を分断するように軸心方向に平行な方向に設けられた溝部に沿って切れ刃が形成されているタップであり、
歯根の根管に外周に雄ねじが形成された支台築造用雄ねじポストを植立するための雌ねじを形成するために用いられることを特徴とする歯根の雌ねじ形成用タップ。
【請求項２】
前記ねじ部の外径がφ０．７〜２．５ｍｍであることを特徴とする請求項１に記載の歯根の雌ねじ形成用タップ。
【請求項３】
雌ねじが形成された歯根の根管に、外周に雄ねじが形成された支台築造用雄ねじポストがねじ込まれて植立される構造を含むことを特徴とする支台築造体。
【請求項４】
前記歯根の根管と前記支台築造用雄ねじポストの螺合される部分の長さＬが２．０〜５．０ｍｍであることを特徴とする請求項３に記載の支台築造体。
【請求項５】
歯根の根管に前記請求項１または請求項２に記載の歯根の雌ねじ形成用タップで雌ねじを形成して、当該雌ねじが形成された前記根管に外周に雄ねじが形成された支台築造用雄ねじポストをねじ込んで植立することを含むことを特徴とする支台築造方法。
【発明の詳細な説明】
【技術分野】
【０００１】
本発明は、歯根の雌ねじ形成用タップ、支台築造体及び支台築造方法に関する。さらに詳しくは、歯の歯根の根管に支台築造用雄ねじポストを植立する場合に、歯根の損傷ないし破壊を抑制し、ポストを安定して植立固定できる歯根の雌ねじ形成用タップ、支台築造体及び支台築造方法に関する。
【背景技術】
【０００２】
虫歯等により歯冠の大部分が喪失した場合には、残っている歯質ないし歯根に人工歯冠（クラウン）と言われる歯の形態を模した歯科用補綴構造を口腔外で作製し、これを支台に歯科用接着剤を用いて歯冠補綴をする必要がある。この場合にあって、支台に当たる部分が欠損している場合には、支台築造という歯質の補強の後に補綴構造を装着する措置がなされる。
【０００３】
支台築造がなされた上での歯冠補綴構造としては、鋳造した被覆冠を支台に接着剤で固定する構造が知られており、例えば、適切に措置された歯の歯根の根管の最下部に根充剤としての治療用樹脂材料を充填した後、歯根の根管に植立した支台築造用ポストに接着性を有するコア（支台）用レジン等からなる成形支台を形成して支台築造がなされて支台築造体が形成された後、この支台に鋳造した被覆冠をセメント等の接着剤で接着する方法がとられている。歯根の根管に植立される支台築造用ポストは、金属、セラミック、ファイバー、コンポジットレジンまたはこれらの複合材料によって形成されており、一般に、レジンセメントや合着セメント等によって根管内に固定されることになる。また、支台築造用雄ねじポストとしては、歯科用支台のセット後に被覆冠の構造体が脱落するのを防止するため、歯科用支台の挿入方向に対して直角方向にねじ山が形成されているものも提供されている（例えば、特許文献１を参照。）。かかるねじ山が形成された支台築造用雄ねじポストは、歯根の根管に直接食い込ませつつ周囲の象牙質等をねじ山で圧迫ないし切削してねじ込むことにより根管に植立固定される。
【先行技術文献】
【特許文献】
【０００４】
【特許文献１】特表平６−５００２５３号公報
【発明の開示】
【発明が解決しようとする課題】
【０００５】
しかしながら、ねじ山が形成された支台築造用雄ねじポストを歯における歯根の根管に直接食い込ませつつ周囲の象牙質等をねじ山で圧迫ないし切削してねじ込んだ場合にあっては、歯根の脆弱化が生じやすく、歯根の損傷ないし破壊に繋がって、支台や歯冠補綴構造が崩れてしまう可能性が高かった。また、ねじ込みが不足の場合は、ポストが十分に固定されない場合があった。
【０００６】
本発明は、前記の課題に鑑みてなされたものであり、歯冠補綴構造の構築における支台築造に際し、歯の歯根の根管に支台築造用雄ねじポストを植立するにあたって、歯根の損傷ないし破壊を抑制し、ポストを安定して植立固定できる歯根の雌ねじ形成用タップ、支台築造体及び支台築造方法を提供することにある。
【課題を解決するための手段】
【０００７】
前記の課題を解決するために、本発明に係る歯根の雌ねじ形成用タップは、外周に雄ねじからなるねじ部が設けられるとともに、当該ねじ部を分断するように軸心方向に平行な方向に設けられた溝部に沿って切れ刃が形成されているタップであり、歯根の根管に外周に雄ねじが形成された支台築造用雄ねじポストを植立するための雌ねじを形成するために用いられることを特徴とする。
【０００８】
本発明に係る歯根の雌ねじ形成用タップは、前記した本発明において、前記ねじ部の外径がφ０．７〜２．５ｍｍであることを特徴とする。
【０００９】
本発明に係る支台築造体は、雌ねじが形成された歯根の根管に、外周に雄ねじが形成された支台築造用雄ねじポストがねじ込まれて植立される構造を含むことを特徴とする。
【００１０】
本発明に係る支台築造体は、前記した本発明において、前記歯根の根管と前記支台築造用雄ねじポストの螺合される部分の長さＬが２．０〜５．０ｍｍであることを特徴とする。
【００１１】
本発明に係る支台築造方法は、歯根の根管に前記本発明に係る歯根の雌ねじ形成用タップで雌ねじを形成して、当該雌ねじが形成された前記根管に外周に雄ねじが形成された支台築造用雄ねじポストをねじ込んで植立することを含むことを特徴とする。
【発明の効果】
【００１２】
本発明に係る歯根の雌ねじ形成用タップは、支台築造体ないし歯冠補綴構造を構築するに際し、歯の歯根の根管に支台築造用雄ねじポストを植立固定するにあたって、あらかじめ歯根の根管に雌ねじを形成するので、ポスト自身を歯根の根管に直接食い込ませつつ周囲の象牙質等をねじ山で圧迫ないし切削してねじ込むこともないため、歯根の脆弱化及びそれによる歯根の損傷ないし破壊を抑制し、支台築造用雄ねじポストを安定して植立固定できる雌ねじを形成可能なタップを提供することができる。
【００１３】
本発明に係る支台築造体は、あらかじめ雌ねじが形成された歯の歯根の根管に、外周に雄ねじが形成された支台築造用雄ねじポストがねじ込まれて植立される構造を採用しているので、ポストの植立による歯根の脆弱化及び歯根の損傷ないし破壊を抑制し、ポストが十分に植立固定された、安定した支台築造体（歯根に築造された支台）を提供することができる。
【００１４】
本発明に係る支台築造方法は、歯の歯根の根管に前記した本発明に係る歯根の雌ねじ形成用タップで雌ねじを形成した後、かかる雌ねじが形成された根管に外周に雄ねじが形成された支台築造用雄ねじポストをねじ込んで植立するので、ポスト自身を根管に直接食い込ませつつ、周囲の象牙質等をねじ山で圧迫ないし切削してねじ込むこともなく、ポストの植立による歯根の脆弱化及び歯根の損傷ないし破壊を抑制し、ポストが十分に植立固定された、安定した支台築造を構築する手段を提供することができる。
【図面の簡単な説明】
【００１５】
【図１】本発明に係る歯根の雌ねじ形成用タップの一態様を示した側面図である。
【図２】図１のII−II断面図である。
【図３】タップの先端部を拡大した説明図である。
【図４】本発明に係るタップを用いて歯根の根管に雌ねじを形成した状態を示した概略図である。
【図５】ねじ山が形成された根管に支台築造用雄ねじポストを植立した状態を示した概略図である。
【図６】根管と支台築造用雄ねじポストの螺合される部分（螺合部）を示した概略図である。
【図７】根管と支台築造用雄ねじポストの螺合される部分（螺合部）を示した概略図である。
【図８】図５において、支台築造用雄ねじポストのねじ頭に筒状部材を取り付けた状態を示した概略図である。
【図９】被覆冠が装着された支台築造体の一態様を示した概略図である。
【図１０】被覆冠が装着された支台築造体の他の態様を示した概略図である。
【発明を実施するための形態】
【００１６】
以下、本発明の構成を図面に基づいて説明する。
【００１７】
（Ｉ）タップ１の構成：
図１は、本発明に係る歯根の雌ねじ形成用タップ１（以下、単に「タップ１」とする場合もある。）の一態様を示した側面図であり、図２は図１のII−II断面図、図３はタップ１の先端部を拡大した説明図、をそれぞれ示す。
【００１８】
本発明に係るタップ１は、歯の歯根の根管に例えば右ねじの雌ねじを切削加工するためのもので、加工される雌ねじに対応する雄ねじが外周に設けられたねじ部２、かかるねじ部２と連接される略円柱形状のシャンク３を軸心Ｘと平行な方向に一体に備えている。ねじ部２は、ねじ山の高さが一定の完全山部２１と、その完全山部２１からねじ部２の先端側（図１及び図３の矢印方向。以下同じ。）へ向かうに従って小径になる食付き部２２とを備えており、また、ねじ部２を分断するように、軸心Ｘと平行な方向に溝部４が設けられている。溝部４は、軸心Ｘを中心に対称的にかつ略等間隔に配設され（本実施形態では３本配設した態様を示す。）、溝部４に沿って切れ刃４１が形成されている。なお、タップ１は、高速度工具鋼または超硬合金等の公知の金属材料で構成することができる。
【００１９】
シャンク３は、本実施形態にあっては、軸心Ｘを有する略円錘状に形成されている。なお、本実施形態のタップ１には、指で掴んで作業しやすいように、シャンク３の端には軸心に対して略正六角形状を断面とする掴み部５が配設されている。
【００２０】
タップ１を構成するねじ部２は、シャンク３を介して掴み部５から伝達される回転力によって回転しつつ、歯根の根管に雌ねじの切削加工を行うための部位であり、図１に示すように、食付き部２２と、かかる食付き部２２に連設される完全山部２１とを備えて構成されている。また、ねじ部２の外周面には、３本の溝部４が軸心Ｘと略平行にそれぞれ凹設されている。
【００２１】
ねじ部２を構成する食付き部２２は、加工対象である歯根の根管に切削加工を施すことで雌ねじ（後記する図４を参照）を形成するための部位であり、図１及び図３に示すように、ねじ部２の先端側へ向かうにつれて外径が小径となる所定の角度α°（例えば、α＝２〜３０°程度）のテーパ状に形成されている。また、完全山部２１は、食付き部２２によって形成された雌ねじの仕上げを行うための部位であり、加工対象である歯根の根管に形成すべき雌ねじの形状と略同一形状に形成されている。
【００２２】
溝部４は、切削加工時に食付き部２２において生成される切り屑等を収容するための部位であり、図１に示すように、本実施形態にあっては、軸心Ｘに平行な略直線状に形成されるとともにねじ部２の先端面から完全山部２１を超えシャンク３に達する位置まで延設されている。この溝部４は、例えば、円盤状の砥石を回転させつつねじ部２の先端側からねじ部２の後端側（図１の矢印方向と反対方向）へ向けて軸方向へ平行移動させることで形成することができる。なお、溝部４は本実施形態に示すような略直線状のほか、捻れ形状としたものでも構わない。
【００２３】
タップ１のピッチは、歯根の根管に植立しようとする支台築造用雄ねじポスト（後記する図５を参照）の外周に形成される雄ねじのピッチに対応させて適宜決定することができるが、ピッチとしては０．２〜０．５ｍｍの範囲内で選定することが好ましく、０．２５〜０．４ｍｍで選定することが特に好ましい。また、タップ１の外径（完全山部２１の外径）も、かかる支台築造用雄ねじポストの雄ねじの外径に対応させて決定することができるが、歯根の根管に雌ねじを形成することを考慮すれば、タップ１の外径は、φ０．７〜２．５ｍｍの範囲内で選定することが好ましく、φ０．７〜２．２ｍｍの範囲内で選定することがさらに好ましく、φ１．０〜２．０ｍｍの範囲内で選定することが特に好ましい。なお、タップ１によって形成される雌ねじの外径等のサイズは一般にタップ１の外径等のサイズよりより大きくなるので、支台築造用雄ねじポストの外周に形成される雄ねじの外径の他、有効径、谷径等（外径、ピッチ等の定義は、ＪＩＳ  Ｂ０１７６−１に準ずる。）を考慮して適宜決定すればよい。
【００２４】
図４は、歯根７の根管７１に雌ねじＦを形成した状態を示した概略図である。本発明に係るタップ１を用いて歯根７の根管７１に雌ねじＦを形成する方法の一例を説明すると、まず、歯根７の根管７１の最下部（図示しない）に治療用樹脂材料や薬等（図示しない）を充填する等により適切な措置を施した後、根管７１に例えば図示しないピーソーリーマー等で下穴７２を形成して根管７１を所望の外径とするとともに、表面を平坦化する。この場合、下穴７２の外径を、例えばタップ１の外径の８０〜８５％とすることが好ましい。下穴７２が形成されたら、かかる下穴７２に本発明に係るタップ１を挿入し、タップのねじ部２（雄ねじ部分）を下穴７２に食い込ませて、軸心Ｘを中心に掴み部５を時計回りに回転させてねじ切りし、雌ねじＦを形成するようにする。
【００２５】
（II）支台築造体Ｔ：
図５は、外周に雌ねじＦが形成された歯根７の根管７１に支台築造用雄ねじポスト６を植立した状態（支台築造体Ｔ）を示した概略図である。支台築造用雄ねじポスト６（以下、単に「ポスト６」とする場合もある。）は、ねじ頭６１と、外周に雄ねじ（ねじ山。以下同じ。）が形成された軸部６２を含み、ポスト６の雄ねじのピッチや外径は、前記した雌ねじＦを形成するためのタップ１のピッチや外径と対応して決定されている。なお、本発明にあっては、あらかじめ本発明に係るタップ１で根管７１には雌ねじＦが形成されている状態で、根管７１に雌ねじＦに対応するピッチの雄ねじが切られたポスト６を直接ねじ込むので、歯根７の脆弱化及びそれによる歯根７の損傷ないし破壊を抑制し、支台築造用雄ねじポスト６を安定して植立固定できる。なお、ポスト６の先端６３（ねじ先）の形状は、特に制限はなく、平坦でも構わないが、図５に示すように、根管７１の底方向に向かって小径になるようにすることが好ましい。
【００２６】
外周に雄ねじ（ねじ山）が形成されたポスト６を歯根７の根管７１に植立させるには、本発明に係るタップ１により前記したような方法で雌ねじＦが形成された根管７１に、ねじ回し等を用いてポスト６をねじ込む（螺合する）ことにより、簡便に植立させることができる。なお、ポスト６を根管７１に植立する際には、図示しない流動性の高いセメント材料を介在させることにより、ねじ込みやすくなり、また、保持力も向上する。
【００２７】
支台築造体Ｔにおける歯根７の根管７１と支台築造用雄ねじポスト６の螺合部Ｍの長さＬは、図５に示すように、根管７１の長さ方向（図５及び後記する図６、図７の矢印方向）に平行な方向における歯根７の根管７１の雌ねじＦとポスト６の螺合される部分の長さであるが、形成される雌ねじＦを形成するためのタップ１（及びポスト６の雄ねじ）に前記した比較的細かいピッチを採用することにより、概ね２．０ｍｍ以上としておけばポスト６を安定して植立固定することができる。螺合部Ｍの長さＬは、２．０〜５．０ｍｍとすることが好ましく、２．０〜４．０ｍｍであることがさらに好ましく、３．０〜４．０ｍｍとすることが特に好ましい。
【００２８】
また、図６及び図７は、根管７１と支台築造用雄ねじポスト６の螺合される部分Ｍ（螺合部Ｍ）を示した概略図である。螺合部Ｍの長さＬは、図６に示すように、支台築造用雄ねじポスト６の先端６３（ねじ先）の形状が、歯根７の根管７１の底方向に向かって小径になるような場合にあって、先端６３に形成されている雄ねじ（ねじ山）が根管７１に形成されている雌ねじＦと螺合されている場合には、かかる部分も螺合部Ｍに含める（図６の長さＬ１）。一方、図７に示すように、根管７１のポスト６の先端６３が位置する部分において雌ねじが形成されていない等により、ポスト６の先端６３が根管７１の内部で螺合されていない場合には、図７の長さＬ２が螺合されている部分Ｍとなる。なお、長さＬが歯根７の根管７１の周方向において異なる場合には、長さＬは、それらのうちもっとも短い長さを指すものとする。
【００２９】
支台築造用雄ねじポスト６は、ねじ回し（図示しない）等を用いて歯根７の根管７１にねじ込まれることになるが、ねじ回しをポスト６のねじ頭６１に保持固定しやすくするため、取り外し可能な筒状部材６４を取り付けた状態でねじ回しの先端（図示しない）を差し込み、ポスト６をねじ込んだ後かかる筒状部材６４を取り外すようにしてもよい。図８は、図５において、ポスト６のねじ頭６１に筒状部材６４を取り付けた状態を示した概略図であり、筒状部材６４は、ねじ頭６１のサイズにあわせて公知の金属材料、無機材料、合成樹脂等で構成すればよい。
【００３０】
図９は、被覆冠９が装着された支台築造体Ｔ（歯冠補綴構造）の一態様を示した概略図である。図９に示した支台築造体Ｔは、本発明に係るタップ１を用いて前記した方法で雌ねじＦを形成した歯根７の根管７１に外周に雄ねじ（ねじ山）が形成されたポスト６をねじ込んで植立してかかるポスト６を覆うように支台８を形成した後、鋳造した被覆冠９をセメント等の接着剤８１を介在させて支台８の上方に固定させてなるものである。支台８は、セメントや各種歯科用レジン等を硬化させて成形してもよく、また、あらかじめ鋳造した金属部材をポストの上方から被せるようにしてもよい。
【００３１】
（III）本発明の効果：
以上説明したように、本実施形態に係る歯根の雌ねじ形成用タップ１は、支台築造体Ｔないし歯冠補綴構造を構築するに際し、歯根７の根管７１に支台築造用雄ねじポスト６を植立固定するにあたって、あらかじめ歯根７の根管７１に雌ねじＦを形成するので、ポスト６自身で歯根７の根管７１に直接食い込ませつつ切削してねじ込むこともないため、歯根７の脆弱化及びそれによる根管７１の損傷ないし破壊を抑制し、ポスト６を安定して植立固定できる雌ねじを形成可能なタップ１となる。
【００３２】
また、図５、図８及び図９に示す本実施形態に係る支台築造体Ｔも、あらかじめ雌ねじが形成された歯根７の根管７１に、外周に雄ねじが形成された支台築造用雄ねじポスト６がねじ込まれて植立される構造を採用しているので、ポスト６の植立による歯根７の脆弱化及び歯根７の損傷ないし破壊を抑制し、ポスト６が十分に植立固定された、安定した支台築造体Ｔを提供することができる。
【００３３】
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００３４】
例えば、前記した実施形態では、支台築造された支台築造体Ｔとして、図９に示したように、雌ねじＦを形成した歯根７の根管７１に外周に雄ねじが形成された支台築造用雄ねじポスト６をねじ込んで植立して、かかるポスト６を覆うように支台８を形成した後、鋳造した被覆冠９を接着剤８１を介在させて支台８の上方に固定される構成を例に挙げて説明した。一方、本発明に係る支台築造体Ｔとしては、あらかじめ雌ねじＦが形成された歯根７の根管７１に、外周に雄ねじが形成された支台築造用雄ねじポスト６がねじ込まれて植立される構造を含むものであれば特に制限はない。
なお、以下の説明においては、前記した実施形態と同様の構造及び同一部材には同一符号を付して、その詳細な説明は省略又は簡略化する。
【００３５】
図１０は、被覆冠９が装着された支台築造体Ｔ（歯冠補綴構造）の他の態様を示した概略図である。図１０に示すように、雌ねじＦを形成した歯根７の根管７１に外周に雄ねじが形成された支台築造用雄ねじポスト６をねじ込んで植立した状態で、ポスト６を覆いつつポスト６のねじ頭６１を支台８から突出するように支台８を形成し、被覆冠９と支台８の間に接着剤８１を介在させるとともに、支台８から突出したポスト６のねじ頭６１を被覆冠９の内部にあらかじめ形成した凹部９１にはめ込むようにして固定するようにしてもよい。
その他、本発明の実施の際の具体的な構造及び形状等は、本発明の目的を達成できる範
囲で他の構造等としてもよい。
【産業上の利用可能性】
【００３６】
本発明は、歯科治療における支台の築造及び歯冠補綴構造を構築するための手段として有利に使用することができる。
【符号の説明】
【００３７】
１  ……    歯根の雌ねじ形成用タップ（タップ）
２  ……    ねじ部
２１  …    完全山部
２２  …    食付き部
３  ……    シャンク
４  ……    溝部
４１  …    切れ刃
５  ……    掴み部
６  ……    支台築造用雄ねじポスト（ポスト）
６１……    ねじ頭
６２……    軸部
６３……    先端
６４  …    筒状部材
７  ……    歯根（歯の歯根）
７１  ……  根管
７２  ……  下穴
８  ……    支台
８１  ……  接着剤
９  ……    被覆冠
９１  ……  凹部
Ｆ  ……    タップにより形成された雌ねじ（雌ねじ）
Ｍ  ……    螺合される部分（螺合部）
Ｔ  ……    支台築造体
Ｘ  ……    軸心
α  ……    角度
Ｌ、Ｌ１、Ｌ２  ……    螺合される部分（螺合部）の長さ
【図１】
2013066600.tif 000003
【図２】
2013066600.tif 000004
【図３】
2013066600.tif 000005
【図４】
2013066600.tif 000006
【図５】
2013066600.tif 000007
【図６】
2013066600.tif 000008
【図７】
2013066600.tif 000009
【図８】
2013066600.tif 000010
【図９】
2013066600.tif 000011
【図１０】
2013066600.tif 000012
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
外周に雄ねじからなるねじ部が設けられるとともに、当該ねじ部を分断するように軸心方向に平行な方向に設けられた溝部に沿って切れ刃が形成されているタップであり、
前記タップの外径がφ０．７〜２．５ｍｍであり、
また、前記タップのピッチが０．２〜０．５ｍｍであり、
歯根の根管に外周に雄ねじが形成された支台築造用雄ねじポストを植立するための雌ねじを形成するために用いられることを特徴とする歯根の雌ねじ形成用タップ。
【手続補正３】
【補正対象書類名】明細書
【補正対象項目名】０００１
【補正方法】変更
【補正の内容】
【０００１】
本発明は、歯根の雌ねじ形成用タップに関する。さらに詳しくは、歯の歯根の根管に支台築造用雄ねじポストを植立する場合に、歯根の損傷ないし破壊を抑制し、ポストを安定して植立固定できる歯根の雌ねじ形成用タップに関する。
【手続補正４】
【補正対象書類名】明細書
【補正対象項目名】０００６
【補正方法】変更
【補正の内容】
【０００６】
本発明は、前記の課題に鑑みてなされたものであり、歯冠補綴構造の構築における支台
築造に際し、歯の歯根の根管に支台築造用雄ねじポストを植立するにあたって、歯根の損
傷ないし破壊を抑制し、ポストを安定して植立固定できる歯根の雌ねじ形成用タップを提供することにある。
【手続補正５】
【補正対象書類名】明細書
【補正対象項目名】０００７
【補正方法】変更
【補正の内容】
【０００７】
前記の課題を解決するために、本発明に係る歯根の雌ねじ形成用タップは、外周に雄ねじからなるねじ部が設けられるとともに、当該ねじ部を分断するように軸心方向に平行な方向に設けられた溝部に沿って切れ刃が形成されているタップであり、前記タップの外径がφ０．７〜２．５ｍｍであり、また、前記タップのピッチが０．２〜０．５ｍｍであり、歯根の根管に外周に雄ねじが形成された支台築造用雄ねじポストを植立するための雌ねじを形成するために用いられることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】００１３
【補正方法】変更
【補正の内容】
【００１３】
また、あらかじめ雌ねじが形成された歯の歯根の根管に、外周に雄ねじが形成された支台築造用雄ねじポストがねじ込まれて植立される構造を採用しているので、ポストの植立による歯根の脆弱化及び歯根の損傷ないし破壊を抑制し、ポストが十分に植立固定された、安定した支台築造体（歯根に築造された支台）を提供することができる。
【手続補正８】
【補正対象書類名】明細書
【補正対象項目名】００１４
【補正方法】変更
【補正の内容】
【００１４】
そして、歯の歯根の根管に前記した本発明に係る歯根の雌ねじ形成用タップで雌ねじを形成した後、かかる雌ねじが形成された根管に外周に雄ねじが形成された支台築造用雄ねじポストをねじ込んで植立するので、ポスト自身を根管に直接食い込ませつつ、周囲の象牙質等をねじ山で圧迫ないし切削してねじ込むこともなく、ポストの植立による歯根の脆弱化及び歯根の損傷ないし破壊を抑制し、ポストが十分に植立固定された、安定した支台築造を構築する手段を提供することができる。
【手続補正９】
【補正対象書類名】明細書
【補正対象項目名】００２３
【補正方法】変更
【補正の内容】
【００２３】
タップ１のピッチは、歯根の根管に植立しようとする支台築造用雄ねじポスト（後記する図５を参照）の外周に形成される雄ねじのピッチに対応させて適宜決定することができるが、ピッチとしては０．２〜０．５ｍｍの範囲内で選定し、０．２５〜０．４ｍｍで選定することが特に好ましい。また、タップ１の外径（完全山部２１の外径）も、かかる支台築造用雄ねじポストの雄ねじの外径に対応させて決定することができるが、歯根の根管に雌ねじを形成することを考慮すれば、タップ１の外径は、φ０．７〜２．５ｍｍの範囲内で選定し、φ０．７〜２．２ｍｍの範囲内で選定することがさらに好ましく、φ１．０〜２．０ｍｍの範囲内で選定することが特に好ましい。なお、タップ１によって形成される雌ねじの外径等のサイズは一般にタップ１の外径等のサイズより大きくなるので、支台築造用雄ねじポストの外周に形成される雄ねじの外径の他、有効径、谷径等（外径、ピッチ等の定義は、ＪＩＳ  Ｂ０１７６−１に準ずる。）を考慮して適宜決定すればよい。